(57)【要約】【課題】光記録媒体の層数が変わった場合でも、ノイズが増大すること、及び記録層の劣化やデータの誤消去を防止すること。【解決手段】基本電流Ｉｂに高周波電流Ｉｒｆを重畳した駆動電流を形成するレーザ駆動回路２６と、光記録媒体Ｄに半導体レーザ素子２からのレーザ光を照射した際の反射光を検出する主光検出器１６と、主光検出器の出力に基づいて光記録媒体ｄの層数を判別する層数判別回路３８と、半導体レーザ素子から出力されたレーザ光の一部を検出する副光検出器１８と、副光検出器からの出力と層数判別回路の出力とに基づいて基本電流が光記録媒体の層数に応じ変化するように駆動制御信号を制御する駆動制御回路２４と、層数判別回路３８の出力に基づいて高周波発振器２８から出力される高周波電流の振幅が光記録媒体の層数に応じ変化するように高周波発振器を制御する高周波発振器制御部４０とを有する。【選択図】図１
2008112490.tif 000002
【特許請求の範囲】
【請求項１】
単層あるいは複数の記録層を有する光記録媒体に半導体レーザ素子からレーザ光を照射して、前記光記録媒体に記録された情報を再生する光記録媒体再生装置であって、
駆動制御信号に基づく基本電流に高周波発振器から発振された高周波電流を重畳することにより前記半導体レーザ素子への駆動電流を形成するレーザ駆動回路と、
前記光記録媒体に前記半導体レーザ素子からのレーザ光を照射した際の反射光を検出する主光検出器と、
前記主光検出器の出力に基づいて前記光記録媒体の層数を判別する層数判別回路と、
前記半導体レーザ素子から出力されたレーザ光の一部を検出する副光検出器と、
前記副光検出器からの出力と、前記層数判別回路の出力とに基づいて前記基本電流が前記光記録媒体の層数に応じ変化するように前記駆動制御信号を制御する駆動制御回路と、
前記層数判別回路の出力に基づいて前記高周波発振器から出力される前記高周波電流の振幅が前記光記録媒体の層数に応じ変化するように前記高周波発振器を制御する高周波発振器制御部と、
を有することを特徴とする光記録媒体再生装置。
【請求項２】
前記高周波発振器制御部は、
前記層数判別回路の出力に基づいてオン・オフするスイッチングトランジスタと、
前記スイッチングトランジスタのオン・オフにより抵抗値が変わり、前記高周波発振器から出力される前記高周波電流の振幅が前記光記録媒体の層数に応じ変化するよう制御する抵抗手段と、を有することを特徴とする請求項１記載の光記録媒体再生装置。
【請求項３】
単層あるいは複数の記録層を有する光記録媒体に半導体レーザ素子からレーザ光を照射する光ピックアップ装置であって、
駆動制御信号に基づく基本電流に高周波発振器から発振された高周波電流を重畳することにより前記半導体レーザ素子への駆動電流を形成するレーザ駆動回路と、
前記光記録媒体に前記半導体レーザ素子からのレーザ光を照射した際の反射光を検出する主光検出器と、
前記主光検出器の出力に基づいて前記光記録媒体の層数を判別する層数判別回路と、
前記半導体レーザ素子から出力されたレーザ光の一部を検出する副光検出器と、
前記副光検出器からの出力と、前記層数判別回路の出力とに基づいて前記基本電流が前記光記録媒体の層数に応じ変化するように前記駆動制御信号を制御する駆動制御回路と、
前記層数判別回路の出力に基づいて前記高周波発振器から出力される前記高周波電流の振幅が前記光記録媒体の層数に応じ変化するように前記高周波発振器を制御する高周波発振器制御部と、
を有することを特徴とする光ピックアップ装置。
【発明の詳細な説明】
【技術分野】
【０００１】
本発明は、単層ディスク及び２層ディスク等のように記録層の数が異なる光記録媒体に対してレーザ光を用いて情報の記録再生を行う光記録媒体再生装置および光ピックアップ装置に関する。
【背景技術】
【０００２】
一般的に、大きな記憶容量を有する記録媒体として、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）のような光記録媒体が知られており、これらの光記録媒体にあっては、その記憶容量を増大するために記録層を、一層のみならず、２層以上の複数層設けるようにした光記録媒体が提案されている。
【０００３】
これに対応して、上記光記録媒体に対して情報を記録又は再生する光記録媒体再生装置にあっては、単層の記録層の光記録媒体に対しても、複数の記録層を有する光記録媒体に対しても各記録層に対して半導体レーザ素子からレーザ光を、光学系を介して照射し、記録層に記録された情報を再生する光記録媒体再生装置が提案されている。
【０００４】
しかしながら、実際には、半導体レーザ素子が光記録媒体に照射したレーザ光の一部が、光記録媒体の記録層で反射され、半導体レーザ素子に戻ると、この戻り光が半導体レーザ素子のパワー変動を引き起こすノイズとなり、再生した映像や音声信号に影響を及ぼす、という問題がある。なお、半導体レーザ素子のパワー変動は温度変動によっても生じてしまう。
【０００５】
そこで、上述したようなノイズを低減するために最も簡便で効果的な方法として半導体レーザ素子の基本電流に高周波電流を重畳する高周波重畳法が使用されている（例えば、特許文献１、２参照）。
【特許文献１】特開昭６２−１１９７４３号公報
【特許文献２】特開昭６２−２８７４４５号公報
【発明の開示】
【発明が解決しようとする課題】
【０００６】
しかし、上述の特許文献１、２記載の従来技術では、半導体レーザ素子の基本電流に高周波電流を重畳してノイズの抑圧が図られるものの、重畳する高周波電流の振幅（レベル）を一定のままであるので、光記録媒体の層数が変わった場合には、高周波電流が重畳された駆動電流の波形、及びピ−クレベルが変化するため、高周波電流の重畳の効果が低下してノイズが増大したり、逆に、高周波電流の重畳レベルが大き過ぎてピークレベルが高くなり、記録層の劣化やデータの誤消去を起こしたりする、という問題があった。
【０００７】
本発明は、かかる問題に鑑みなされたもので、光記録媒体の層数が変わった場合でも、ノイズが増大するのを防止できると共に、記録層の劣化やデータの誤消去を防止することができる光記録媒体再生装置および光ピックアップ装置を提供することにある。
【課題を解決するための手段】
【０００８】
上記課題を解決するため、本発明の光記録媒体再生装置は、単層あるいは複数の記録層を有する光記録媒体に半導体レーザ素子からレーザ光を照射して、前記光記録媒体に記録された情報を再生する光記録媒体再生装置であって、駆動制御信号に基づく基本電流に高周波発振器から発振された高周波電流を重畳することにより前記半導体レーザ素子への駆動電流を形成するレーザ駆動回路と、前記光記録媒体に前記半導体レーザ素子からのレーザ光を照射した際の反射光を検出する主光検出器と、前記主光検出器の出力に基づいて前記光記録媒体の層数を判別する層数判別回路と、前記半導体レーザ素子から出力されたレーザ光の一部を検出する副光検出器と、前記副光検出器からの出力と、前記層数判別回路の出力とに基づいて前記基本電流が前記光記録媒体の層数に応じ変化するように前記駆動制御信号を制御する駆動制御回路と、前記層数判別回路の出力に基づいて前記高周波発振器から出力される前記高周波電流の振幅が前記光記録媒体の層数に応じ変化するように前記高周波発振器を制御する高周波発振器制御部と、を有するものである。
【０００９】
ここで、前記高周波発振器制御部は、前記層数判別回路の出力に基づいてオン・オフするスイッチングトランジスタと、前記スイッチングトランジスタのオン・オフにより抵抗値が変わり、前記高周波発振器から出力される前記高周波電流の振幅が前記光記録媒体の層数に応じ変化するよう制御する抵抗手段と、を有するものでも良い。
【００１０】
また、本発明の光ピックアップ装置は、単層あるいは複数の記録層を有する光記録媒体に半導体レーザ素子からレーザ光を照射する光ピックアップ装置であって、駆動制御信号に基づく基本電流に高周波発振器から発振された高周波電流を重畳することにより前記半導体レーザ素子への駆動電流を形成するレーザ駆動回路と、前記光記録媒体に前記半導体レーザ素子からのレーザ光を照射した際の反射光を検出する主光検出器と、前記主光検出器の出力に基づいて前記光記録媒体の層数を判別する層数判別回路と、前記半導体レーザ素子から出力されたレーザ光の一部を検出する副光検出器と、前記副光検出器からの出力と、前記層数判別回路の出力とに基づいて前記基本電流が前記光記録媒体の層数に応じ変化するように前記駆動制御信号を制御する駆動制御回路と、前記層数判別回路の出力に基づいて前記高周波発振器から出力される前記高周波電流の振幅が前記光記録媒体の層数に応じ変化するように前記高周波発振器を制御する高周波発振器制御部と、を有するものである。
【００１１】
ここで、前記高周波発振器制御部は、前記層数判別回路の出力に基づいてオン・オフするスイッチングトランジスタと、前記スイッチングトランジスタのオン・オフにより抵抗値が変わり、前記高周波発振器から出力される前記高周波電流の振幅が前記光記録媒体の層数に応じ変化するよう制御する抵抗手段と、を有するものでも良い。
【発明の効果】
【００１２】
本発明に係る光記録媒体再生装置および光ピックアップ装置によれば、基本電流に高周波発振器からの高周波電流を重畳して駆動電流として半導体レーザ素子に出力する際、副光検出器からの出力と層数判別回路の出力とに基づいて基本電流が光記録媒体の層数に応じ変化するように制御すると共に、層数判別回路の出力に基づいて高周波電流の振幅が光記録媒体の層数に応じ変化するように制御するようにしたので、ノイズが増大するのを防止できる共に、記録層の劣化やデータの誤消去を防止することができる。
【発明を実施するための最良の形態】
【００１３】
以下に、本発明に係る光記録媒体再生装置の一実施の形態を添付図面に基づいて詳述する。
【００１４】
図１は，本発明に係る光記録媒体再生装置の一実施の形態を示す構成図である。
【００１５】
図１に示す光記録媒体再生装置において、Ｄは光記録媒体の一例であるＤＶＤやブルーレーディスク等の光記録媒体、２は半導体レーザ素子、３，４はコリメータレンズ、６はビームスプリッタであり、このビームスプリッタ６はレーザ光Ｌに対して半透明なハーフミラーとプリズムとを組み合わせた光学部品である。
【００１６】
また８は１／４波長板、１０は対物レンズ、１２，１４は集光レンズ、１６は主光検出器、１８は副光検出器、２０，２２はアンプ、２４は駆動制御回路（ＡＰＣ；Ａｕｔｏｍａｔｉｃ  Ｐｏｗｅｒ  Ｃｏｎｔｒｏｌ）、２６はレーザ駆動回路、２８は高周波発振器、３０は偏光ビームスプリッタ、３２はコリメータレンズ４を移動させる駆動モータ、３４は回折格子、３６は信号再生系であり、この信号再生系３６には主光検出器からの出力に基づいて再生信号を形成する再生信号処理回路やトラッキングエラー信号を形成するサーボ制御回路等が含まれている。また３８は光記録媒体の層数を、例えば記録層が１層か、あるいは２層かを判別する層数判別回路、４０は高周波発振器制御部である。
【００１７】
本実施の形態においては、高周波発振器制御部４０は、高周波発振器２８が発生する高周波電流の周波数を決定する抵抗Ｒｆと、この高周波電流の振幅（レベル）を決定する振幅設定用の抵抗手段５０とを有している。この抵抗手段５０の抵抗値と高周波発振器２８が発生する高周波電流の振幅とは概ね反比例の関係となるように設定されている。従って、抵抗値が大きくなれば高周波電流の振幅は小さくなり、逆に抵抗値が小さくなれば高周波電流の振幅は大きくなる。
【００１８】
ここで、抵抗手段５０は、第１の抵抗Ｒａ１と、第２の抵抗Ｒａ２の並列接続回路よりなり、更に第２の抵抗Ｒａ２にはオン・オフ制御されるスイッチングトランジスタＴｒが直列に接続されている。
【００１９】
そして、本実施の形態１の場合、スイッチングトランジスタＴｒは、層数判別回路３８からの信号によりオン・オフ制御される。例えば２層の光記録媒体Ｄから記録された情報を再生する場合にはオン制御され、１層の光記録媒体Ｄから記録された情報を再生する場合にはオフ制御される。
【００２０】
そして、半導体レーザ素子２からのレーザ光Ｌの光路途中に設けられた各部材により光学系４２が構成され、また、対物レンズ１０を主体とする部分が光ピックアップ４４となる。
【００２１】
次に動作を説明する。
【００２２】
半導体レーザ素子２から出力されたレーザ光Ｌは、発散光を平行光にするコリメータレンズ３及び光ビームを３つに分割する回折格子３４を介して偏光ビームスプリッタ３０に入射し、この貼り合わせ面で所定の偏光が対物レンズ１０に向けて反射される。この反射光は、コリメータレンズ４、ビームスプリッタ６、直線偏光を円偏光に変換する１／４波長板８及び対物レンズ１０を通って光記録媒体Ｄ面に集光される。ここで、光記録媒体Ｄが２層ディスクの場合には、その記録層までの基板厚の差により対物レンズ１０において球面収差が発生するので、駆動モータ３２を駆動してコリメータレンズ４の位置を移動することによって球面収差を補正する。
【００２３】
そして、光記録媒体Ｄに照射されたレーザ光は、光記録媒体Ｄ上で反射され、この反射光は、対物レンズ１０を介して１／４波長板８に入射される。１／４波長板８に入射した反射光は、偏波面が照射時のｐ波に直交する直線偏光のｓ波に変換されて、偏光ビームスプリッタ３０に入射される。偏光ビームスプリッタ３０に入射した直線偏光は、ｓ波であるので透過して、集光レンズ１４に入射され、ここで集光されて主光検出器１６で受光される。主光検出器１６で受光された光は、その受光レベルに応じたレベルの電気信号に変換され、アンプ２０を介して再生信号処理回路やサーボ制御回路を有する信号再生系３６に供給され、信号再生系３６において、記録情報信号の検出、及びフォーカスエラー信号及びトラッキングエラー信号の検出等に使用される。
【００２４】
そして、対物レンズ１０は、図示しないアクチェータで保持され、アクチュエータ内の図示しないフォーカスコイル、トラッキングコイルに上記フォーカスエラー信号及びトラッキングエラー信号をそれぞれ流すことにより、対物レンズ１０をフォーカシング方向及びトラッキング方向に駆動して光記録媒体のトラックを追従するようになっている。
【００２５】
また、アンプ２０を介した主光検出器１６からの出力に基づいて層数判別回路３８は、光記録媒体Ｄの種類、例えば記録層を何層有しているかを判別し、この結果を高周波発振器制御部４０および駆動制御回路２４へ出力する。尚、この判別処理は、光記録媒体Ｄの再生に先立って行われる。
【００２６】
そして、高周波発振器制御部４０は、後述するように光記録媒体Ｄの記録層の数に応じてレーザ駆動回路２６の高周波発振器２８を制御する。
【００２７】
ところで、対物レンズ１０に向かうレーザ光Ｌの一部は、ビームスプリッタ６で取り出され、この取り出されたレーザ光は、集光レンズ１２を介して副光検出器１８で検出される。副光検出器１８で検出された検出信号は、アンプ２２で増幅されて、駆動制御回路２４へ入力される。
【００２８】
駆動制御回路２４では、後述するように副光検出器１８で検出されアンプ２２で増幅された検出信号と、層数判別回路３８からの光記録媒体Ｄの記録層の数を示す信号とに応じて、レーザ駆動回路２６の増幅器２６ａから出力される基本電流を制御する。
【００２９】
つまり、駆動制御回路２４では、副光検出器１８で検出されアンプ２２で増幅された検出信号に基づいて、半導体レーザ素子２からの出力パワーが一定になるように、レーザ駆動回路２６に対して駆動制御信号Ｓａを出力する。このレーザ駆動回路２６は、駆動制御信号Ｓａに基づいて増幅器２６ａによりレーザ素子駆動用の基本電流Ｉｂを形成し、この基本電流Ｉｂに高周波発振器２８で発生した高周波電流Ｉｒｆを重畳することによって駆動電流Ｉｄを形成し、この駆動電流Ｉｄによって半導体レーザ素子２を駆動している。その際、本実施の形態の駆動制御回路２４では、後述するように、層数判別回路３８からの光記録媒体Ｄの記録層の数を示す信号に応じてレーザ駆動回路２６の増幅器２６ａから出力される基本電流Ｉｂを制御する。
【００３０】
ここで、高周波発振器２８を有するレーザ駆動回路２６で形成される高周波電流や駆動電流について、図２を参照して具体的に説明する。
【００３１】
図２は、光記録媒体Ｄが記録再生型２層ディスクである場合における本実施の形態によるレーザ光射出時の駆動電流に対するレーザパワー特性及び駆動電流を形成する時の基本電流Ｉｂと、基本電流Ｉｂに重畳される高周波電流Ｉｒｆとレーザ発光波形との関係を示す図である。
【００３２】
図３は、光記録媒体Ｄが記録再生型単層ディスクである場合における従来技術によるレーザ光射出時の駆動電流に対するレーザパワー特性及び駆動電流を形成する時の基本電流Ｉｂと重畳される高周波電流Ｉｒｆとレーザ発光波形との関係を示す図である。
【００３３】
図２及び図３において、駆動電流Ｉｄは、直流電流である基本電流Ｉｂに高周波電流Ｉｒｆを重畳することにより形成される。すなわち、基本電流Ｉｂが高周波電流Ｉｒｆの中心レベルとなる。尚、ここでは高周波電流Ｉｒｆの周波数として、例えば約４００ＭＨｚが用いられている。そして、半導体レーザ素子２は、閾値電流Ｉｔｈ以上でレーザ光を出力し、その時のレーザ発光波形は、図２及び図３に示すように、半波整流波形に似た波形となる。
【００３４】
半導体レーザ素子２の駆動制御に関して説明すると、図１において、副光検出器１８で受光された光は、その平均受光量に応じたレベルの電気信号に変換され、駆動制御回路２４を介して駆動制御信号Ｓａとなってレーザ駆動回路２６に帰還される。その際、上述したように、駆動制御回路２４は、光記録媒体Ｄの記録層の数に応じてレーザ駆動回路２６の増幅器２６ａから出力される基本電流Ｉｂを制御する。
【００３５】
レーザ駆動回路２６では、駆動制御回路２４からの駆動制御信号Ｓａに基づいて基本電流Ｉｂが形成されることにより出力パワーが調整される。これにより、半導体レーザ素子２から射出されるレーザ光の出力パワーは、光記録媒体Ｄの記録層の数に応じて安定化された状態になる。
【００３６】
そして、本実施の形態では、前述したように半導体レーザ素子２へ一部のレーザ光が戻ることによるレーザノイズを抑制するために、基本電流Ｉｂに高周波電流Ｉｒｆを重畳して実際の駆動電流Ｉｄを形成する。
【００３７】
ここで、重畳される高周波電流Ｉｒｆの周波数とレベル（振幅）とは、高周波発振器制御部４０に設けられた、例えば抵抗Ｒｆと振幅設定用の抵抗手段５０との値で設定されることになる。すなわち、抵抗Ｒｆは高周波電流Ｉｒｆの周波数を決定し、抵抗手段５０がレベル（振幅）を決定する。そして、半導体レーザ素子２は、図２に示すように、閾値電流Ｉｔｈ以下ではほとんど発光しない。よって、図２に示すように、電流−光出力（ディスク面レーザパワー）の特性は、閾値電流Ｉｔｈからほぼ線形に保持され、図示しない定格電流でその線形性は失われる。
【００３８】
半導体レーザ素子２は、基本電流Ｉｂに高周波電流Ｉｒｆを重畳することにより形成された駆動電流Ｉｄで駆動、すなわち、基本電流Ｉｂの電流値を中心に正負に振動する高周波電流で駆動され、閾値電流Ｉｔｈを超える電流に対して半導体レーザ素子２は発光し、閾値電流Ｉｔｈ以下の電流に対して半導体レーザ素子２は消灯するので、結果的に図２に示すような半波整流波形のレーザ発光波形が形成される。尚、Ｐｒは光記録媒体Ｄ面へのレーザパワーの平均値である。
【００３９】
図２に示す例では、基本電流Ｉｂに重畳する高周波重畳電流Ｉｒｆのピークツウピークパワーを５２ｍＡとし、記録再生型２層の光記録媒体Ｄの再生パワーとしてディスク面レーザパワーの平均値Ｐｒを０．８ｍＷとしている。高周波重畳成分のディスク面ピークパワーは約２．６ｍＷであり、記録層が２層の場合は、ピ−クパワーが高過ぎることは無いので、光記録媒体Ｄにおける記録層の劣化やデータの誤消去は起こらないし、ピ−クパワーが低過ぎることも無いので、高周波電流の重畳の効果が低下して、ノイズが増大することもない。
【００４０】
これに対し、記録層が１層の場合は、図３に示すように光記録媒体Ｄの再生パワーとして、ディスク面レーザパワーの平均値Ｐｒは０．４ｍＷに設定されるため、基本電流Ｉｂは駆動制御回路２４により制御されて低下するが、従来技術のように抵抗手段５０の値が固定値であると仮定すると、重畳すべき約４００ＭＨｚの高周波電流Ｉｒｆの振幅は２層ディスクの場合と変更されない。
【００４１】
そのため、半導体レーザ素子２は、基本電流Ｉｂに高周波電流Ｉｒｆが重畳された駆動電流Ｉｄによって駆動され、駆動電流Ｉｄが閾値電流Ｉｔｈを超える場合に発光し、閾値電流Ｉｔｈ以下の場合に消灯するので、図３に示すようなレーザ発光波形が形成される。
【００４２】
図３に示す記録層が１層の光記録媒体Ｄの場合、その基本電流Ｉｂが図２に示す記録再生型２層ディスクに印加する基本電流Ｉｂより低いのに、同じ振幅の高周波電流Ｉｒｆが重畳されているので、図３に示す高周波重畳パルス幅Ｗ２は、図２のレーザ発光波形の高周波重畳パルス幅Ｗ１に比べて狭くなり、高周波重畳成分の平均パワーＰｒに対する高周波重畳成分のピークパワー比が高くなる。
【００４３】
つまり、図２に示す記録再生型２層の光記録媒体Ｄの場合、平均パワーＰｒが０．８ｍＷで、高周波重畳成分のディスク面ピークパワーが約２．６ｍＷで、高周波重畳成分の平均パワーＰｒに対するピークパワーの比が３．２５であるのに対し、図３に示す記録再生型単層の光記録媒体Ｄの場合、高周波重畳成分の平均パワーＰｒが０．４ｍＷで、高周波重畳成分のディスク面ピークパワーは約２．１ｍＷで、周波重畳成分の平均パワーＰｒに対するピークパワーの比が５．２５となり、図３に示す記録再生型単層ディスクの場合の方が高周波重畳成分の平均パワーＰｒに対するピークパワーの比が高くなる。
【００４４】
ここで、記録再生型２層ディスクに比べて記録再生型単層ディスクは、記録感度が約２倍近く良いので、この場合、ディスク面ピークパワーが約２．１ｍＷであることは、記録再生型単層ディスクとってピ−クパワーが高過ぎることになり、その結果、記録層の劣化やデータの誤消去が発生する場合があるので好ましくない。
【００４５】
そこで、本実施の形態では、光記録媒体Ｄが記録再生型単層ディスクの場合、基本電流Ｉｂに重畳する高周波電流Ｉｒｆの振幅を図４に示すように制御する。
【００４６】
図４は、光記録媒体Ｄが記録再生型単層ディスクである場合における本実施の形態によるレーザ光射出時の駆動電流に対するレーザパワー特性及び駆動電流を形成する時の基本電流に重畳される高周波電流とレーザ発光波形との関係を示す図である。
【００４７】
ここで、前述したように駆動電流Ｉｄは、直流電流である基本電流Ｉｂに高周波電流Ｉｒｆを重畳することにより形成される。すなわち、基本電流Ｉｂが高周波電流Ｉｒｆの中心レベルとなる。尚、ここでは高周波電流Ｉｒｆの周波数として、例えば、約４００ＭＨｚが用いられている。そして、半導体レーザ素子２は閾値電流Ｉｔｈ以上でレーザ光を出力するので、レーザ発光波形は、半波整流波形に似た波形となる。
【００４８】
半導体レーザ素子２の駆動制御に関して説明すると、図１において、副光検出器１８で受光された光は、その平均受光量に応じたレベルの電気信号に変換され、駆動制御回路２４を介して駆動制御信号Ｓａとなってレーザ駆動回路２６に帰還される。このレーザ駆動回路２６では、この駆動制御信号Ｓａに基づいて基本電流Ｉｂが形成されることにより出力パワーが調整される。これにより、半導体レーザ素子２から射出されるレーザ光の出力パワーは安定化された状態になる。そして、前述したように半導体レーザ素子２へ一部のレーザ光が戻ることになるレーザノイズを抑制するために、上記基本電流Ｉｂに高周波電流Ｉｒｆを重畳して実際の駆動電流Ｉｄを形成する。
【００４９】
ここで重畳される高周波電流Ｉｒｆの周波数とレベルは、前述したように高周波発振器制御部４０に設けられた抵抗Ｒｆと振幅設定用の抵抗手段５０との値で設定されることになる。すなわち、抵抗Ｒｆは高周波電流Ｉｒｆの周波数を決定し、抵抗手段５０がレベル（振幅）を決定する。
【００５０】
ここで、振幅設定用の抵抗手段５０の作用を含めて説明する。高周波電流Ｉｒｆの振幅（レベル）は、レーザ駆動回路２６に接続される抵抗手段５０、すなわち第１の抵抗Ｒａ１と第２の抵抗Ｒａ２、及びトランジスタスイッチＴｒで決定される。
【００５１】
つまり、２層ディスクの光記録媒体Ｄを再生する際は、層数判別回路３８からの信号によりトランジスタスイッチＴｒがＯＮとなって、第１の抵抗Ｒａ１と第２の抵抗Ｒａ２の並列接続の抵抗値で高周波電流Ｉｒｆの振幅が決定される。この第１の抵抗Ｒａ１と第２の抵抗Ｒａ２の並列接続の抵抗値と高周波電流Ｉｒｆの振幅とは、概ね反比例の関係にあり、この場合、第１の抵抗Ｒａ１と第２の抵抗Ｒａ２を並列に接続することにより、第１の抵抗Ｒａ１のみの場合に比べ、並列抵抗値は減少するので、高周波電流Ｉｒｆの振幅は大きくなることになる。この時のレーザ発光波形は、前述の図２のように形成される。
【００５２】
一方、単層ディスクの光記録媒体Ｄを再生する場合は、層数判別回路３８からの指令によってトランジスタスイッチＴｒはＯＦＦとなって、第２の抵抗Ｒａ２は開放状態となる。そのため、高周波電流Ｉｒｆの振幅は、第１の抵抗Ｒａ１のみで決定されることになる。
【００５３】
従って、単層ディスクの光記録媒体Ｄを再生する場合は、第１の抵抗Ｒａ１と第２の抵抗Ｒａ２が並列接続されていた時と比べれば、抵抗手段５０の抵抗値は増加する。その結果、抵抗値と高周波電流Ｉｒｆの振幅とは、概ね反比例の関係にあることから、記録層が１層の単層ディスク再生時は、抵抗手段５０の抵抗値は増加するので、高周波電流Ｉｒｆの振幅は小さくなることになる。そのため、本実施の形態では、単層ディスクの光記録媒体Ｄを再生する場合、レーザ発光波形は、図４に示すように形成されることになる。
【００５４】
つまり、単層ディスクの光記録媒体Ｄを再生する場合、ディスク面レーザパワーの平均値Ｐｒが目標の０．４ｍＷになるように、駆動制御回路２４は、層数判別回路３８からの光記録媒体Ｄの層数の指示と、副光検出器１８にて検出したレーザパワーの一部とに基づいて、基本電流Ｉｂが約３２ｍＡとなるように制御する。
【００５５】
そして、本実施の形態の高周波発振器制御部４０では、図４に示すように、約３２ｍＡの直流電流の基本電流Ｉｂを中心に、交流正弦波の高周波電流Ｉｒｆがピークツウピーク電流が約２６ｍＡで駆動されるように高周波発振器２８を制御する。そして、駆動電流対ディスク面レーザパワーの特性に従って、閾値電流Ｉｔｈ、この場合は約３５ｍＡを超える電流について半導体レーザ素子２は発光する。
【００５６】
その結果、図４に示す場合、高周波重畳成分のディスク面ピークパワーは、約１．３ｍＷ、平均パワーＰｒが０．４ｍＷになり、高周波重畳パルス幅Ｗ２の方が平均パワーＰｒに対するピークパワー比が３．２５となり、図２に示す場合と同じになる。
【００５７】
このように、本実施の形態では、高周波電流Ｉｒｆの振幅を読み取るべき光記録媒体Ｄの層に応じて適正に切り替えているので、単層ディスクの光記録媒体Ｄを再生する場合、図４に示すように、高周波重畳パルス幅Ｗ３は、図２に示す２層ディスク再生時の高周波重畳パルス幅Ｗ１と同様になる。そして、高周波重畳成分のディスク面ピークパワーは、約１．３ｍＷであり、図２に示す２層ディスク再生時のディスク面ピークパワーの約２．６ｍＷの１／２となるので、記録層が１層の単層ディスク再生する場合にも、ピ−クパワーが高過ぎることはなくなり、記録層の劣化やデータの誤消去も起こらなくなる。
【００５８】
換言すれば、従来のように光記録媒体Ｄの層数に応じて基本電流Ｉｂに重畳する高周波電流の振幅Ｉｒｆを変えないとすれば、単層ディスクを再生する場合、図３に示すように、高周波電流Ｉｒｆの振幅が大きいために、ディスク面レーザパワーのピーク値が２．１ｍＷにもなって記録層の劣化やデータの誤消去が発生する。
【００５９】
これに対し、本実施の形態の場合には、図４に示すように、光記録媒体Ｄの層数に応じて基本電流Ｉｂに重畳する高周波電流Ｉｒｆの振幅（レベル）を変え、特に、単層ディスクの場合、記録感度が２層ディスクの場合の２倍という点から、ディスク面レーザパワーの平均値Ｐｒが２層の場合の０．８ｍＷの半分の０．４ｍＷになるように高周波電流Ｉｒｆの振幅（レベル）を小さく切り替えているので、ディスク面レーザパワーピーク値を１．３ｍＷまで低下させることができ、記録層の劣化やデータの誤消去の発生を防止することができる。
【００６０】
図５は、本実施の形態により１層（単層）と２層の光記録媒体Ｄの情報を再生した時の各電力や電流の値を示す図である。ディスク面レーザパワーの平均値Ｐｒ（ｍＷ）、半導体レーザ素子２の出力パワー（ｍＷ）、及び高周波電流のピークツウピーク電流（ｍＡ）は、単層ディスクの場合は、それぞれ０．４ｍＷ、３．５ｍＷ及び２６ｍＡであり、２層ディスクの場合は、それぞれ０．８ｍＷ、７．０ｍＷ及び５２ｍＷとなる。
【００６１】
このように、本実施の形態の光記録媒体再生装置によれば、光記録媒体Ｄの層数に応じて半導体レーザ２の出力であるディスク面レーザパワー、すなわち再生平均光量（直流）を変化させると共に、光記録媒体Ｄの層数が変化しても高周波重畳電流の平均パワーＰｒに対する高周波重畳成分のピークパワー比がほぼ一定になるように光記録媒体Ｄの層数に応じて高周波重畳電流の振幅（パワー）を最適値に設定するようにしたので、再生すべき光記録媒体Ｄの層数が変わった場合でも、高周波電流の重畳の効果が低下してノイズが増大したり、逆に、高周波電流の重畳レベルが大き過ぎてピークレベルが高くなり、記録層の劣化やデータの誤消去が発生することを防止することができる。
【００６２】
尚、本実施の形態において用いた数値例は、単に一例を示したに過ぎず、これらに限定されないのは勿論である。
【００６３】
また、ここでは高周波電流Ｉｒｆの振幅を変化させるために、抵抗群を用いたが、これに限定されず、振幅を変化させることができるならばどのような手段を用いてもよく、例えばコンデンサ等を用いるようにしてもよい。
【００６４】
また、ここでは光記録媒体として記録層が単層のディスクと２層のディスクを例にとって説明したが、記録層を３層以上設けた光記録媒体にも対応できるのは勿論である。
【００６５】
また、本実施の形態では、再生のみを行う光記録媒体再生装置を一例に説明したが、記録もさらに行う光記録媒体記録再生装置の再生部分に適用しても良いし、信号再生系３６等を含まない光ピックアップ装置に適用するようにしても勿論良い。
【図面の簡単な説明】
【００６６】
【図１】本発明に係る光記録媒体再生装置の実施の形態の構成例を示すブロック図である。
【図２】光記録媒体Ｄが記録再生型２層ディスクである場合における本実施の形態による高周波電流とレーザ発光波形との関係等を示す図である。
【図３】光記録媒体Ｄが記録再生型単層ディスクである場合における従来技術による高周波電流とレーザ発光波形との関係等を示す図である。
【図４】光記録媒体Ｄが記録再生単層ディスクである場合における本実施の形態による高周波電流とレーザ発光波形との関係等を示す図である。
【図５】本実施の形態の光記録媒体再生装置により光記録媒体の情報を再生した時の各電力や電流の値を示す図である。
【符号の説明】
【００６７】
２…半導体レーザ素子、１０…対物レンズ、１６…主光検出器、１８…副光検出器、２４…駆動制御回路、２６…レーザ駆動回路、２８…高周波発振器、３０…偏光ビームスプリッタ、３６…信号再生系、３８…層数判別回路、４０…高周波発振器制御部、４２…光学系、５０…振幅制御用の抵抗手段、Ｄ…光記録媒体、Ｉｂ…基本電流、Ｉｄ…駆動電流、Ｉｒｆ…高周波電流、Ｌ…レーザ光、Ｒａ１…第１の抵抗、Ｒａ２…第２の抵抗、Ｓａ…駆動制御信号。
【図１】
2008112490.tif 000003
【図２】
2008112490.tif 000004
【図３】
2008112490.tif 000005
【図４】
2008112490.tif 000006
【図５】
2008112490.tif 000007